(57)【要約】【課題】  文書に加筆した際の加筆情報と付加情報とを取得可能なコンピュータ入力装置等を提供することを目的とする。【解決手段】  用紙の識別に係るデータを含むシンボルを読取るシンボル読取り部１０３と、前記用紙の筆記軌跡情報を取得する筆記軌跡取得部１０６と、付加情報を取得する付加情報取得部１０４とを有している。【選択図】  図１
2007026298.tif 000002
【特許請求の範囲】
【請求項１】
用紙の識別に係るデータを含むシンボルを読取るシンボル読取り手段と、
前記用紙の筆記軌跡情報を取得する筆記軌跡取得手段と、
動画情報及び／又は音声情報を取得する付加情報取得手段とを有することを特徴とするコンピュータ入力装置。
【請求項２】
前記筆記軌跡取得手段が取得した前記筆記軌跡の筆記時刻の情報を取得する筆記時刻取得手段と、
前記付加情報取得手段が取得した前記付加情報の取得の時刻情報を取得する付加情報時刻取得手段とを有することを特徴とする請求項１記載のコンピュータ入力装置。
【請求項３】
ペンダウンを検知するペンダウン検知手段を有し、
前記ペンダウン検知手段の検知結果に基づき、前記付加情報取得手段の取得した付加情報を記憶することを特徴とする請求項１又は２記載のコンピュータ入力装置。
【請求項４】
用紙の識別に係るデータを含むシンボルを読取るシンボル読取りステップと、
前記用紙の筆記軌跡情報を取得する筆記軌跡取得ステップと、
動画情報及び／又は音声情報を取得する付加情報取得ステップとを有することを特徴とするコンピュータ入力方法。
【請求項５】
前記筆記軌跡取得ステップにより取得した前記筆記軌跡情報の筆記時刻の情報を取得する筆記時刻取得ステップと、
前記付加情報取得ステップにより取得した付加情報の取得の時刻情報を取得する付加情報時刻取得ステップとを有することを特徴とする請求項４記載のコンピュータ入力方法。
【請求項６】
ペンダウンを検知するペンダウン検知ステップを有し、
前記筆ペンダウン検知ステップによる検知結果に基づき、前記付加情報取得ステップにより取得した付加情報を記憶することを特徴とする請求項４又は５記載のコンピュータ入力方法。
【請求項７】
用紙の識別情報に対応して、前記用紙の筆記軌跡情報と前記用紙上に記載されている記載情報と動画情報及び／又は音声情報とを記憶する記憶手段と、
前記記憶手段に記憶されている前記筆記軌跡情報を読み出す筆記軌跡読み出し手段と、
前記記憶手段に記憶されている前記動画情報及び／又は音声情報を読み出す付加情報読み出し手段と、
前記記憶手段に記憶されている前記記載情報を読み出す記載情報読み出し手段と、
前記筆記軌跡情報読み出し手段により読み出された前記筆記軌跡情報と前記記載情報読み出し手段により読み出された前記記載情報とを合成する画像合成手段と、
前記付加情報読み出し手段により読み出された前記付加情報を再生する付加情報再生手段とを有することを特徴とする情報処理装置。
【請求項８】
前記付加情報は、ペンダウンの状態のときの動画情報及び／又はペンダウン時に発せられた音声情報であることを特徴とする請求項７記載の情報処理装置。
【請求項９】
前記筆記軌跡情報の取得時の前記付加情報が再生されることを特徴とする請求項７、８記載の情報処理装置。
【請求項１０】
前記付加情報の取得時の筆記に係る前記筆記情報が読み出されることを特徴とする請求項７、８記載の情報処理装置。
【請求項１１】
用紙の識別情報に対応して、前記用紙の筆記軌跡情報と前記用紙上に記載されている記載情報と動画情報及び／又は音声情報とを記憶する記憶手段を有する情報処理装置における情報処理方法において、
前記記憶手段に記憶されている前記筆記軌跡情報を読み出す筆記軌跡読み出しステップと、
前記記憶手段に記憶されている前記動画情報及び／又は音声情報を読み出す付加情報読み出しステップと、
前記記憶手段に記憶されている前記記載情報を読み出す記載情報読み出しステップと、
前記筆記軌跡情報読み出しステップにより読み出された前記筆記軌跡情報と前記記載情報読み出しステップにより読み出された前記記載情報とを合成する画像合成ステップと、
前記付加情報読み出しステップにより読み出された前記付加情報を再生する付加情報再生ステップとを有することを特徴とする情報処理方法。
【請求項１２】
前記筆記画像の取得時の前記付加情報が再生されることを特徴とする請求項１１記載の情報処理方法。
【請求項１３】
前記付加情報の取得時の前記筆記情報が読み出されることを特徴とする請求項１１記載の情報処理方法。
【発明の詳細な説明】
【技術分野】
【０００１】
本発明は、コンピュータ入力装置、コンピュータ入力方法、情報処理装置及び情報処理方法に関する。
【背景技術】
【０００２】
パソコン等のコンピュータ装置に存在する電子化された文書は、印刷されて使用されることも多い。しかしながら、この印刷された文書に対して、加筆等を行った場合、用紙は原文書と電子的にリンクされていないため、原文書への加筆等を電子化された文書に反映させるためには、新たにコンピュータ装置に加筆情報を入力する必要があるという問題があった。そこで、原文書への加筆等を電子化された文書に容易に反映させる技術として、ファイル名等の用紙のファイル情報に対応したバーコードを、用紙上に記載することにより、タブレットがこの用紙のバーコードを読取り、バーコードに対応した用紙の記載情報を読み出して、記載情報への加筆等の編集を可能とする従来技術が知られている（特許文献１参照。）。
【特許文献１】特開平７−２４４６５７公報
【発明の開示】
【発明が解決しようとする課題】
【０００３】
しかしながら、例えば、会議中にメモ等を加筆した会議資料を会議後に読み返す際に、
より詳細な情報を得るために、メモ等の画像情報だけでなく、メモ加筆時点での会話等の音声情報や音声情報を含む動画情報が欲しい場合がある。また、メモ等の加筆時点での加筆画像とその時点での音声情報や動画情報とが時間的にリンクしていればさらに正確な情報となり得る。
【０００４】
本発明は、上記の点に鑑みなされたもので、文書に加筆した際の加筆情報と動画もしくは音声情報とを取得可能なコンピュータ入力装置、コンピュータ入力方法、情報処理装置及び情報処理方法を提供することを目的とする。
【課題を解決するための手段】
【０００５】
上記目的を達成するために、本発明のコンピュータ入力装置は、用紙の識別に係るデータを含むシンボルを読取るシンボル読取り手段と、前記用紙の筆記軌跡情報を取得する筆記軌跡取得手段と、
動画情報及び／又は音声情報を取得する付加情報取得手段とを有するように構成することができる。
【０００６】
また、上記目的を達成するために、前記筆記軌跡取得手段が取得した前記筆記軌跡の筆記時刻の情報を取得する筆記時刻取得手段と、前記付加情報取得手段が取得した前記付加情報の取得の時刻情報を取得する付加情報時刻取得手段とを有するように構成することができる。
【０００７】
また、上記目的を達成するために、ペンダウンを検知するペンダウン検知手段を有し、前記ペンダウン検知手段の検知結果に基づき、前記付加情報取得手段の取得した付加情報を記憶するように構成することができる。
【０００８】
また、上記目的を達成するために、本発明のコンピュータ入力方法は、用紙の識別に係るデータを含むシンボルを読取るシンボル読取りステップと、前記用紙の筆記軌跡情報を取得する筆記軌跡取得ステップと、動画情報及び／又は音声情報を取得する付加情報取得ステップとを有するように構成することができる。
【０００９】
また、上記目的を達成するために、前記筆記軌跡取得ステップにより取得した前記筆記軌跡情報の筆記時刻の情報を取得する筆記時刻取得ステップと、前記付加情報取得ステップにより取得した付加情報の取得の時刻情報を取得する付加情報時刻取得ステップとを有するように構成することができる。
【００１０】
また、上記目的を達成するために、ペンダウンを検知するペンダウン検知ステップを有し、前記筆ペンダウン検知ステップによる検知結果に基づき、前記付加情報取得ステップにより取得した付加情報を記憶するように構成することができる。
【００１１】
また、上記目的を達成するために、本発明の情報処理装置は、用紙の識別情報に対応して、前記用紙の筆記軌跡情報と前記用紙上に記載されている記載情報と動画情報及び／又は音声情報とを記憶する記憶手段と、前記記憶手段に記憶されている前記筆記軌跡情報を読み出す筆記軌跡読み出し手段と、前記記憶手段に記憶されている前記動画情報及び／又は音声情報を読み出す付加情報読み出し手段と、前記記憶手段に記憶されている前記記載情報を読み出す記載情報読み出し手段と、前記筆記軌跡情報読み出し手段により読み出された前記筆記軌跡情報と前記記載情報読み出し手段により読み出された前記記載情報とを合成する画像合成手段と、前記付加情報読み出し手段により読み出された前記付加情報を再生する付加情報再生手段とを有するように構成することができる。
【００１２】
また、上記目的を達成するために、前記付加情報は、ペンダウンの状態のときの動画情報及び／又はペンダウン時に発せられた音声情報であるように構成することができる。
【００１３】
また、上記目的を達成するために、前記筆記軌跡情報の取得時の前記付加情報が再生されるように構成することができる。
【００１４】
また、上記目的を達成するために、前記付加情報の取得時の筆記に係る前記筆記情報が読み出されるように構成することができる。
【００１５】
また、上記目的を達成するために、本発明の情報処理方法は、用紙の識別情報に対応して、前記用紙の筆記軌跡情報と前記用紙上に記載されている記載情報と動画情報及び／又は音声情報とを記憶する記憶手段を有する情報処理装置における情報処理方法であって、前記記憶手段に記憶されている前記筆記軌跡情報を読み出す筆記軌跡読み出しステップと、前記記憶手段に記憶されている前記動画情報及び／又は音声情報を読み出す付加情報読み出しステップと、前記記憶手段に記憶されている前記記載情報を読み出す記載情報読み出しステップと、前記筆記軌跡情報読み出しステップにより読み出された前記筆記軌跡情報と前記記載情報読み出しステップにより読み出された前記記載情報とを合成する画像合成ステップと、前記付加情報読み出しステップにより読み出された前記付加情報を再生する付加情報再生ステップとを有するように構成することができる。
【００１６】
また、上記目的を達成するために、前記筆記画像の取得時の前記付加情報が再生されるように構成することができる。
【００１７】
また、上記目的を達成するために、前記付加情報の取得時の前記筆記情報が読み出されるように構成することができる。
【発明の効果】
【００１８】
本発明によれば、文書に加筆した際の加筆情報と付加情報とを取得可能なコンピュータ入力装置、コンピュータ入力方法、情報処理装置及び情報処理方法を提供することができる。
【発明を実施するための最良の形態】
【００１９】
次に、本発明の実施の形態について図面と共に説明する。
【実施例１】
【００２０】
図１に、実施例１のコンピュータ入力装置の構成例のブロック図を示す。図１のコンピュータ入力装置１００は、CPU１０１、記憶部１０２、シンボル読取り部１０３、付加情報取得部１０４、筆記軌跡取得部１０６及び通信I/F部１０７から構成されている。CPU１０１は、コンピュータ入力装置１００の全体を制御する。記憶部１０２は、用紙の識別情報に対応して用紙の筆記軌跡情報、付加情報及び用紙の記載情報を記憶する。シンボル読取り部１０３は、用紙に記載されたバーコード等のシンボルを読取り、用紙の識別情報、ページ等を出力するもので、CCDセンサ等から構成される。付加情報取得部１０４は、画像や音声をデジタルデータに変換するもので、画像取得のためのＣＣＤカメラ、音声取得のためのマイク、A/Dコンバータ等で構成される。筆記軌跡取得部１０６は、筆記軌跡の座標を取得するものである。通信I/F部１０７は、PC等の他の装置との通信用のインタフェースである。
【００２１】
図２に、実施例１のコンピュータ入力装置の外観を示す。図２のコンピュータ入力装置は、シンボル読取り部２０２、保持用クリップ２０３、筆記軌跡取得装置２０４及び入力ペン２０５、マイク２０７、ＣＣＤカメラ２１０が示されている。シンボル読取り装置２０２は、用紙に記載されたバーコード等のシンボルを読取る。保持用クリップ２０３は、用紙の位置を固定するものである。筆記軌跡取得装置２０４は、筆記軌跡の座標を取得するものである。入力ペン２０５は、筆記軌跡の座標を入力する。ＣＣＤカメラ２１０は画像を、マイク２０７は、音声を電気信号に変換する。なお、ＣＣＤカメラ２１０は任意にその方向を変更できる。また、紙文書２０６には、紙ID情報２０１、加筆情報２０８及び記載情報２０９が記載されている。紙ID情報２０１は、用紙を識別する情報及びページ番号等がコード化されたバーコード、２次元バーコード等である。加筆情報２０８は、用紙に加筆された筆記軌跡の情報である。
【００２２】
図３に、実施例１のコンピュータ入力装置の動作例を示す。図１、図２を参照しながら動作を説明する。
【００２３】
ステップS３０１で、CPU１０１は、筆記軌跡取得部１０６へ筆記軌跡取得命令を送信する。次に、ステップS３０２で、CPU１０１は、付加情報取得部１０４へ動画もしくは音声からなる付加情報取得命令を送信する。次にステップS３０３で、シンボル読取り部１０３により、用紙に記載されたバーコード等のシンボルを読取り、紙IDを取得する。次に、ステップS３０４で、ステップS３０３において取得した紙IDを記憶部１０２へ保存する。次に、ステップS３０５で、筆記軌跡取得部１０６により取得した筆記軌跡情報と付加情報取得部１０４により取得した付加情報を記憶部１０２のバッファへ記憶する。次に、ステップS３０６で、ステップS３０５において取得した筆記軌跡情報を紙IDと対応づけて記憶部１０２へ保存する。次に、ステップS３０７で、ステップS３０５で、付加情報取得部１０４により取得した付加情報を紙IDに対応づけて記憶部１０２へ保存する。次に、ステップS３０８で、終了する場合、ステップS３０９に進み、CPU１０１により、筆記軌跡取得部１０６へ筆記軌跡取得停止命令を送信し、さらに次のステップS３１０で、CPU１０１により、付加情報取得部１０４へ付加情報取得停止命令を送信する。また、ステップS３０８において、終了しない場合は、ステップS３０３へと進み、終了するまで、ステップS３０３からステップS３０８までの処理を繰り返す。
【００２４】
図４に、実施例１のコンピュータ入力装置の動作例を示す。図４（A）は、筆記軌跡情報と付加情報とが紙IDに対応づけられて記憶部１０２に保存されている状態を示し、図４（B）は、紙IDの取得のタイミングと筆記軌跡情報と付加情報とを取得して、記憶部１０２にバッファリングされるタイミングを示している。まず、CPU１０１は、筆記軌跡取得部１０６及び付加情報取得部１０４へスタートコマンドを送信する（A、B）。そして、紙IDを取得する。紙IDのデコードには時間を要するので、C0からC１の間で紙IDが取得される。次に、記憶部１０２にバッファリングされている筆記軌跡情報を記憶部１０２へ紙IDに対応づけて記憶する（D１）。その結果、AからD１までの情報が得られるので、この情報を保存する（Dm1）。次に、記憶部１０２にバッファリングされている付加情報を記憶部１０２へ紙IDに対応づけて記憶する（E１）。その結果、BからE１までの情報が得られるので、この情報を紙IDに対応づけて保存する（Em1）。次に、別紙IDを取得後、再度、筆記軌跡情報を取得すると、D１からD２の情報が得られ、この情報を保存する(D２、Dｍ２)。次に、別紙IDを取得後、再度、付加情報を取得すると、E１からE２の情報を得られ、この情報を紙IDに対応づけて保存する（E２）。この処理を繰り返すことにより、図４のようなタイミングで順次、記憶部１０２に情報が記憶される。
【００２５】
こうすることで、筆記軌跡情報のみならず、筆記軌跡情報に伴う付加情報も取得することができる。なお、実施例１において、付加情報は、音声情報及び／又は動画情報である。
【００２６】
図５に、実施例１の情報処理装置の構成例を示す。図５の情報処理装置５００は、コンピュータ装置５２０、外部記憶部５０３、操作部５０４、付加情報再生部５０５及び表示部５０６から構成されている。さらに、コンピュータ装置５２０は、CPU５０１、記憶部５０２、通信I/F部５０７、画像合成部５０８、筆記軌跡読み出し部５１０、付加情報読み出し部５１１及び記載情報読み出し部５１２から構成されている。外部記憶部５０３は、ハードディスク等の記憶装置である。操作部５０４は、キーボード等の入力装置である。付加情報再生部５０５は、記憶部５０２から読み出された付加情報に基づき動画及び／又は音声を再生する。表示部５０６は、記憶部５０２から読み出された用紙の記載情報や筆記軌跡情報を表示する。CPU５０１は、コンピュータ装置５２０の全体を制御する。記憶部５０２には、コンピュータ入力装置１００が通信I/F部５０７に接続されると、自動的若しくは操作部５０４からのコマンド入力により、コンピュータ入力装置１００の記憶部１０２に記憶されたデータが記憶される。従って、記憶部５０２には図４（A）と同等の情報が記憶される。画像合成部５０８は、記憶部５０２から読み出された筆記軌跡情報と用紙上に記載されている記載情報とを合成する。通信I/F部５０７は、コンピュータ入力装置１００他の装置との通信用のインタフェースである。筆記軌跡読み出し部５１０は、記憶部５０２に記憶された筆記軌跡情報を読み出す。付加情報読み出し部５１１は、記憶部５０２に記憶された付加情報を読み出す。記載情報読み出し部５１２は、記憶部５０２に記憶された記載情報を読み出す。
【００２７】
図６に、実施例１の情報処理装置の動作例を示す。図５を参照しながら動作を説明する。ステップS６０１で、まず、CPU５０１により、記憶部５０２のメモリ領域において、紙IDを探し出す。次に、ステップS６０３で、紙IDに対応した記憶部５０２記憶されている記載情報を読み出し、表示部５０６に表示する。次に、ステップS６０４で、CPU５０１により、紙IDに対応した記憶部５０２記憶されている筆記軌跡情報であるか否かを判断する。筆記軌跡情報の場合、ステップS６０５へ進み、記憶部５０２に記憶されている筆記軌跡情報を筆記軌跡情報以外の情報が出現するまで筆記軌跡情報を読み出す。次に、ステップS６０６で、ステップS６０５において読み出した筆記軌跡情報と、ステップS６０３において読み出した記載情報とを合成する。次に、ステップS６０７へと進み、CPU５０１により、筆記軌跡情報の次に記憶されている情報が、付加情報であるか否かを判断する。付加情報の場合、ステップS６０８へ進み、記憶部５０２に記憶されている付加情報を付加情報以外の情報が出現するまで付加情報を読み出す。次に、ステップS６０８で、ステップS６０８において読み出した付加情報を、付加情報再生部５０５により付加情報を再生する。次にステップS６１０で、記憶部５０２に他の情報が存在するか否かを判断する。他の付加情報が存在しない場合、本動作を終了し、他の付加情報が存在する場合、ステップ６０３へと進み、ステップS６０３からステップS６１０の処理を繰り返す。
【実施例２】
【００２８】
図７に、実施例２のコンピュータ入力装置の構成例を示す。
図７のコンピュータ入力装置１００は、CPU７０１、記憶部７０２、時計７０３、筆記時刻取得部７０４、シンボル読取り部７０５、付加情報取得部７０６、ペンダウン検知部７０７、筆記軌跡取得部７０８及び通信I/F部７０９から構成されている。CPU７０１は、コンピュータ入力装置７００の全体を制御する。時計７０３は、時を計測し、現時点の時刻をCPU７０１が参照できるようされている。筆記時刻取得部７０４は、ペンダウン時の時刻を取得する。シンボル読取り部７０５は、用紙に記載されたバーコード等のシンボルを読取りデコードするもので、CCDセンサ等から構成される。付加情報取得部７０６は、動画もしくは音声を取得し、取得した動画もしくは音声をデジタルデータに変換するもので、ＣＣＤセンサ、マイク、A/Dコンバータ等で構成される。ペンダウン検知部７０７は、ペンダウン状態の有無を検知し、ペンダウンの時刻を記憶部７０２に記憶する。筆記軌跡取得部７０８は、筆記された軌跡の座標を取得するものである。通信I/F部７０９は、PC等の他の装置との通信用のインタフェースである。
【００２９】
図８に、実施例２のコンピュータ入力装置の動作例を示す。図７を参照しながら動作を説明する。ステップS８０１で、CPU７０１は、筆記軌跡取得部７０８へ筆記軌跡取得命令を送信する。次に、ステップS８０２で、CPU７０１は、付加情報取得部７０６へ、動画もしくは音声からなる付加情報取得命令を送信する。次にステップS８０３で、シンボル読取り部７０５により、用紙に記載されたバーコード等のシンボルを読取り、紙IDを取得する。次に、ステップS８０４で、ステップS８０３において取得した紙IDを記憶部７０２へ保存する。次に、ステップS８０５で、筆記軌跡取得部７０８により取得した筆記軌跡情報と付加情報取得部７０６により取得した付加情報を記憶部７０２のバッファに記憶する。次に、ステップS８０６で、ペンダウン時の時刻及びペンダウン時の筆記軌跡に基づき、ペンダウン時の筆記軌跡か否かを判断する。ペンダウン時でない場合、ステップS８０３へと進み、８０４、８０５の処理を繰り返す。一方、ペンダウン時の場合、次のステップS８０７へ進み、ステップS８０５において取得した筆記軌跡情報を紙IDに対応づけて記憶部７０２へ保存する。次に、ステップS８０８で、ステップS８０５において取得した付加情報を紙IDに対応づけて記憶部７０２へ保存する。次に、ステップS８０９で、終了する場合、ステップS８１０に進み、CPU７０１により、筆記軌跡取得部７０８へ筆記軌跡取得停止命令を送信し、さらに次のステップS８１１で、CPU７０１により、付加情報取得部７０６へ付加情報の取得停止命令を送信する。また、ステップS８１０において、終了しない場合は、ステップS８０３へと進み、終了するまで、以後ステップS３０９までの処理を繰り返す。
【００３０】
こうすることで、筆記軌跡情報のみならず、筆記軌跡情報に伴う付加情報も取得することができる。さらに、ペンダウン時のみ付加情報を記憶することにより、記憶される情報は必要な付加情報だけとなるので、不要な記憶情報を減らすことができる。なお、実施例２において、付加情報は、音声情報及び／又は動画情報である。
【００３１】
また、筆記軌跡情報と動画もしくは音声情報との時間の関連付けも可能となるので、例えば、会議中の会議資料に加筆されたメモを見ながら、当時の会話の内容や会議風景を再生するといったこともできる。
【００３２】
図９に、実施例１及び実施例２における付加情報取得部の例を示す。図９の付加情報取得部９０２は、制御部９０２１、音声情報取得部９０２２及び動画情報取得部９０２３から構成されている。
【００３３】
制御部９０２１は、ＣＰＵ９０１の指示に基づいて、音声情報取得部９０２２及び動画情報取得部９０２３を制御して、音声情報及び動画情報をＣＰＵ９０１に送信する。
音声情報取得部９０２２は、マイク、プリアンプ、アナログ−ディジタル変換器及び信号処理回路を有し、制御部９０２１の制御により、音声情報を取得する。音声情報取得部９０２２は、ＣＣＤ素子、プリアンプ、補正回路、アナログ−ディジタル変換器及び信号処理回路を有し、制御部９０２１の制御により、動画情報を取得する。
【００３４】
本発明は、具体的に開示された実施例に限定されるものではなく、特許請求の範囲から逸脱することなく、種々の変形や変更が可能である。
【図面の簡単な説明】
【００３５】
【図１】実施例１のコンピュータ入力装置の構成例のブロック図である。
【図２】実施例１のコンピュータ入力装置の外観を示す図である。
【図３】実施例１のコンピュータ入力装置の動作例を説明する図（その１）である。
【図４】実施例１のコンピュータ入力装置の動作例を説明する図（その２）である。
【図５】実施例１の情報処理装置の構成例のブロック図である。
【図６】実施例１の情報処理装置の動作例を説明する図である。
【図７】実施例２のコンピュータ入力装置の構成例のブロック図である。
【図８】実施例２のコンピュータ入力装置の動作例を説明する図である。
【図９】付加情報取得部の例を説明するための図である。
【符号の説明】
【００３６】
１０１、５０１、７０１、９０１  CPU
１０２、５０２、７０２  記憶部
１０３、７０５  シンボル読取り部
１０４、７０６  付加情報取得部
１０６、７０８  筆記軌跡取得部
１０７、５０７、７０９  通信I/F部
５０３  外部記憶部
５０４  操作部
５０５  付加情報再生部
５０６  表示部
５０８  画像合成部
５１０  筆記軌跡読み出し部
５１１  付加情報読み出し部
５１２  記載情報読み出し部
７０３  時計
７０４  筆記時刻取得部
７０７  ペンダウン検知部
９０２１  制御部
９０２２  音声情報取得部
９０２３  動画情報取得部
【図１】
2007026298.tif 000003
【図２】
2007026298.tif 000004
【図３】
2007026298.tif 000005
【図４】
2007026298.tif 000006
【図５】
2007026298.tif 000007
【図６】
2007026298.tif 000008
【図７】
2007026298.tif 000009
【図８】
2007026298.tif 000010
【図９】
2007026298.tif 000011